(57)【要約】【課題】帯を３つ又はそれ以上に分離することなく、また、装着時における太鼓部の形や大きさの自由度を少なくすることなく、手先部の装着を簡単にする。【解決手段】連続した胴回り部１０及び手先部３０と、それらから分離した太鼓部５０とを含む帯を設ける。その太鼓部５０は、一方の面の長さ方向両端部に、係合し合う太鼓部面ファスナー５２，５４を備え、他方の面に、枕用面ファスナー５７を備えている。  そして、まず、胴回り部１０を着用者Ｈの胴部に装着する。次に、太鼓部５０を、長さ方向に２つに折り曲げて二重に重ね、太鼓部面ファスナー５２，５４どうしを係合させる。次に、枕用面ファスナー５７に枕４１を係合させ、枕４１にある一対の紐４２を着用者Ｈの前方で結ぶことで太鼓部５０の一部を着用者Ｈの背部に固定する。次に、固定されていない部分を折り畳むことで二重太鼓を形成する。そして、最後に、手先部３０を着用者Ｈの背部に装着する。【選択図】図５
2014111856.tif 000002
【特許請求の範囲】
【請求項１】
胴回り部（１０）と、
胴回り部（１０）の長さ方向端部（１５）に連続して設けられた手先部（３０）と、
胴回り部（１０）及び手先部（３０）から分離して設けられ、長さ方向に２つに折り曲げられて二重に重ねられた状態で装着され、一重に広げた状態の長さ方向の両側に、中太鼓部（５１）と外太鼓部（５３）とを並べて備え、一重に広げた状態の一方の面には、中太鼓部（５１）の外太鼓部（５３）との境界とは反対側の長さ方向端部に、中太鼓部面ファスナー（５２）を備え、外太鼓部（５３）の中太鼓部（５１）との境界とは反対側の長さ方向端部に、前記中太鼓部面ファスナー（５２）と係合する外太鼓部面ファスナー（５４）を備え、一重に広げた状態の他方の面には、中太鼓部（５１）に枕用面ファスナー（５７）を備えた太鼓部（５０）とを含む帯を設け、
胴回り部（１０）を着用者（Ｈ）の胴部に装着し、
一重に広げた状態の太鼓部（５０）を、中太鼓部（５１）と外太鼓部（５３）との境界で長さ方向に２つに折り曲げて二重に重ね、中太鼓部面ファスナー（５２）と外太鼓部面ファスナー（５４）とを係合させ、中太鼓部（５１）の枕用面ファスナー（５７）に枕（４１）を係合させ、枕（４１）の長さ方向両端に取り付けられている一対の紐（４２）を、着用者（Ｈ）の両脇の下から前方に通して該前方で結ぶことによって、太鼓部（５０）の一部を着用者（Ｈ）の背部に枕（４１）を介して固定し、その状態から更に太鼓部（５０）の固定されていない部分を長さ方向に折り畳むことによって二重太鼓を形成し、
手先部（３０）を着用者（Ｈ）の背部に装着する帯の装着方法。
【請求項２】
幅方向に２つに折り曲げられて二重に重ねられた状態で装着され、一重に広げた状態の片面には、幅方向に２つに折り曲げられるうちの１つの方における長さ方向の一端部（１３）に、一対の巻き始め部面ファスナー（１４，１４）を前記幅方向に間隔をおいて備え、別の１つの方における長さ方向の他端部（１５）に、前記一対の巻き始め部面ファスナー（１４，１４）と係合する一対の巻き終り部面ファスナー（１６，１６）を前記幅方向に間隔をおいて備えた胴回り部（１０）と、
胴回り部（１０）の前記他端部（１５）に連続して設けられ、胴回り部（１０）とともに幅方向に２つに折り曲げられて二重に重ねられた状態で装着される手先部（３０）と、
胴回り部（１０）及び手先部（３０）から分離して設けられ、長さ方向に２つに折り曲げられて二重に重ねられた状態で装着され、一重に広げた状態の長さ方向の両側に、中太鼓部（５１）と外太鼓部（５３）とを並べて備え、一重に広げた状態の一方の面には、中太鼓部（５１）の外太鼓部（５３）との境界とは反対側の長さ方向端部に、中太鼓部面ファスナー（５２）を備え、外太鼓部（５３）の中太鼓部（５１）との境界とは反対側の長さ方向端部に、前記中太鼓部面ファスナー（５２）と係合する外太鼓部面ファスナー（５４）を備え、一重に広げた状態の他方の面には、中太鼓部（５１）に枕用面ファスナー（５７）を備えた太鼓部（５０）とを含む帯を設け、
一重に広げた状態の胴回り部（１０）及び手先部（３０）を幅方向に２つに折り曲げて二重に重ね、胴回り部（１０）を、手先部（３０）が連続する前記他端部（１５）が前記一端部（１３）の外周側になるようにして着用者（Ｈ）の胴部に巻き、前記一端部（１３）の一対の巻き始め部面ファスナー（１４，１４）に前記他端部（１５）の一対の巻き終り部面ファスナー（１６，１６）を係合させて、胴回り部（１０）を着用者（Ｈ）の胴部に装着し、
一重に広げた状態の太鼓部（５０）を、中太鼓部（５１）と外太鼓部（５３）との境界で長さ方向に２つに折り曲げて二重に重ね、中太鼓部面ファスナー（５２）と外太鼓部面ファスナー（５４）とを係合させ、中太鼓部（５１）の枕用面ファスナー（５７）に枕（４１）を係合させ、枕（４１）の長さ方向両端に取り付けられている一対の紐（４２）を、着用者（Ｈ）の両脇の下から前方に通して該前方で結ぶことによって、太鼓部（５０）の一部を着用者（Ｈ）の背部に枕（４１）を介して固定し、その状態から更に太鼓部（５０）の固定されていない部分を長さ方向に折り畳むことによって二重太鼓を形成し、
幅方向に二重に重ねた状態の手先部（３０）を、胴回り部（１０）との境界で折り返して太鼓部（５０）を胴回り部（１０）の巻き方向の反対方向に通過するようにして、着用者（Ｈ）の背部に装着する帯の装着方法。
【請求項３】
一対の巻き始め部面ファスナー（１４，１４）と一対の巻き終り部面ファスナー（１６，１６）とは、一方の一対が、凸側の面ファスナーであり、他方の一対が、該凸側の面ファスナーよりも胴回り部（１０）の長さ方向に長い凹側の面ファスナーであり、
胴回り部（１０）は、一対の巻き始め部面ファスナー（１４，１４）と一対の巻き終り部面ファスナー（１６，１６）との係合位置を胴回り部（１０）の巻き方向又はその反対方向にずらすことにより胴回りの寸法を調節可能に構成された請求項２記載の帯の装着方法。
【請求項４】
二重太鼓は、着用者（Ｈ）の背後に離間する帯山部分（５５）と、帯山部分（５５）の上端から連続して延び、帯山部分（５５）の上端から着用者（Ｈ）側に曲げられ着用者（Ｈ）の背部に当接してから下方に延びる曲げ部分（５６）と、帯山部分（５５）の下端から連続して延び、帯山部分（５５）の下端から着用者（Ｈ）側に曲げられ着用者（Ｈ）の背部に隣接してから上方に延びる返し部分（５９）とを含み構成され、曲げ部分（５６）の中太鼓部（５１）に前記枕用面ファスナー（５７）を備える請求項１〜３のいずれか一項に記載の帯の装着方法。
【請求項５】
中太鼓部（５１）は外太鼓部（５３）よりも長く形成され、曲げ部分（５６）は帯山部分（５５）の下端よりも下方に長く延び、
中太鼓部（５１）の外太鼓部（５３）からはみ出して一重になる部分で、曲げ部分（５６）の帯山部分（５５）の下端よりも下方に長く延びた部分が垂れ先（５８）を形成する請求項４記載の帯の装着方法。
【発明の詳細な説明】
【技術分野】
【０００１】
本発明は、着物等の着付けに使用する帯に関する。
【背景技術】
【０００２】
着物等の着付けに使用する帯としては、図７及び図８に示す従来例１の帯７０のように、着用者Ｈの胴部に巻かれて装着される胴回り部７１と、装着時には胴回り部７１の最も外周側にくる該胴回り部７１の巻き終り端に連続して設けられた太鼓部７２と、装着時には胴回り部７１の最も内周側にくる該胴回り部７１の巻き始め端に連続して設けられた手先部７３とからなる一本ものの帯が一般的であり、次のようにして装着する。すなわち、まず、図８（ａ）に示すように、手先部７３を余らせつつ、胴回り部７１を着用者Ｈの胴部に巻いて装着し、次に、図８（ｂ）に示すように、太鼓部７２を着用者Ｈの背部に綺麗に折り畳んで装着する。その後、図８（ｃ）（ｄ）に示すように、余らせておいた手先部７３を、太鼓部７２の内側に通して装着する。
【特許文献１】特開２００４−９１９３１号公報
【特許文献２】実用新案登録第３０３４５２８号公報
【発明の開示】
【発明が解決しようとする課題】
【０００３】
ところが、上記従来例１では、まず第一に、太鼓部７２を上手に装着するのが大変であり、第二に、手先部７３を上手に装着するのが大変である。
【０００４】
そのため、中には、図９（ａ）に示す従来例２（特許文献１）の帯８０のように、太鼓部８２の装着を簡単にするために、胴回り部８１から太鼓部８２を分離し、また、手先部８３の装着を簡単にするために、胴回り部８１から手先部８３を分離したものがある。
【０００５】
ところが、該従来例２では、帯８０を３つに分離することによって、パーツが増え、帯の構造が複雑になってしまう。
【０００６】
そのため、更にそれらの中には、図９（ｂ）に示す従来例３（特許文献２）の帯９０のように、胴回り部９１から太鼓部９２を分離し、また、胴回り部９１から手先部９３を分離するとともに、該分離した手先部９３を太鼓部９２に直角に縫い合わせたものもある。
【０００７】
ところが、上記従来例３では、太鼓部９２に対する手先部９３の位置が決まってしまうため、装着時における太鼓部９２の形や大きさを変えようとした際には、その自由度が該手先部９３によって制約されて少なくなってしまう。
【０００８】
そこで、本発明は、帯を３つ又はそれ以上に分離することなく、また、装着時における太鼓部の形や大きさの自由度を少なくすることなく、手先部の装着を簡単にすることを目的とする。
【課題を解決するための手段】
【０００９】
上記目的を達成するため、本発明の帯の装着方法は、次の［１］又は［２］の態様を採用している。
【００１０】
［１］胴回り部と、胴回り部の長さ方向端部に連続して設けられた手先部と、胴回り部及び手先部から分離して設けられ、長さ方向に２つに折り曲げられて二重に重ねられた状態で装着され、一重に広げた状態の長さ方向の両側に、中太鼓部と外太鼓部とを並べて備え、一重に広げた状態の一方の面には、中太鼓部の外太鼓部との境界とは反対側の長さ方向端部に、中太鼓部面ファスナーを備え、外太鼓部の中太鼓部との境界とは反対側の長さ方向端部に、前記中太鼓部面ファスナーと係合する外太鼓部面ファスナーを備え、一重に広げた状態の他方の面には、中太鼓部に枕用面ファスナーを備えた太鼓部とを含む帯を設け、胴回り部を着用者の胴部に装着し、一重に広げた状態の太鼓部を、中太鼓部と外太鼓部との境界で長さ方向に２つに折り曲げて二重に重ね、中太鼓部面ファスナーと外太鼓部面ファスナーとを係合させ、中太鼓部の枕用面ファスナーに枕を係合させ、枕の長さ方向両端に取り付けられている一対の紐を、着用者の両脇の下から前方に通して該前方で結ぶことによって、太鼓部の一部を着用者の背部に枕を介して固定し、その状態から更に太鼓部の固定されていない部分を長さ方向に折り畳むことによって二重太鼓を形成し、手先部を着用者の背部に装着する態様。
【００１１】
ここで、前記胴回り部は、特に限定されないが、長さ方向両端部に互いに係合し合う面ファスナーを備え、両面ファスナーの係合位置を該胴回り部の巻き方向又はその反対方向にずらすことにより胴回りの寸法を調節可能に構成されていることが好ましい。胴回り部の装着が簡単になり、また、装着後においても、緩い場合やきつい場合には、簡単に調節し直すことができるからである。
【００１２】
また、更に、前記両面ファスナーは、特に限定されないが、一方が凸側の面ファスナーであり、他方が該凸側の面ファスナーよりも前記胴回り部の長さ方向に長い凹側の面ファスナーであることが好ましい。このようにすれば、胴回りの寸法を緩め又はきつめに調節した際にも、比較的硬い凸側の面ファスナーが比較的柔らかい凹側の面ファスナーからはみ出して剥き出しになるといったことにはなり難く、帯や着物が傷み難いからである。
【００１３】
［２］幅方向に２つに折り曲げられて二重に重ねられた状態で装着され、一重に広げた状態の片面には、幅方向に２つに折り曲げられるうちの１つの方における長さ方向の一端部に、一対の巻き始め部面ファスナーを前記幅方向に間隔をおいて備え、別の１つの方における長さ方向の他端部に、前記一対の巻き始め部面ファスナーと係合する一対の巻き終り部面ファスナーを前記幅方向に間隔をおいて備えた胴回り部と、胴回り部の前記他端部に連続して設けられ、胴回り部とともに幅方向に２つに折り曲げられて二重に重ねられた状態で装着される手先部と、胴回り部及び手先部から分離して設けられ、長さ方向に２つに折り曲げられて二重に重ねられた状態で装着され、一重に広げた状態の長さ方向の両側に、中太鼓部と外太鼓部とを並べて備え、一重に広げた状態の一方の面には、中太鼓部の外太鼓部との境界とは反対側の長さ方向端部に、中太鼓部面ファスナーを備え、外太鼓部の中太鼓部との境界とは反対側の長さ方向端部に、前記中太鼓部面ファスナーと係合する外太鼓部面ファスナーを備え、一重に広げた状態の他方の面には、中太鼓部に枕用面ファスナーを備えた太鼓部とを含む帯を設け、一重に広げた状態の胴回り部及び手先部を幅方向に２つに折り曲げて二重に重ね、胴回り部を、手先部が連続する前記他端部が前記一端部の外周側になるようにして着用者の胴部に巻き、前記一端部の一対の巻き始め部面ファスナーに前記他端部の一対の巻き終り部面ファスナーを係合させて、胴回り部を着用者の胴部に装着し、一重に広げた状態の太鼓部を、中太鼓部と外太鼓部との境界で長さ方向に２つに折り曲げて二重に重ね、中太鼓部面ファスナーと外太鼓部面ファスナーとを係合させ、中太鼓部の枕用面ファスナーに枕を係合させ、枕の長さ方向両端に取り付けられている一対の紐を、着用者の両脇の下から前方に通して該前方で結ぶことによって、太鼓部の一部を着用者の背部に枕を介して固定し、その状態から更に太鼓部の固定されていない部分を長さ方向に折り畳むことによって二重太鼓を形成し、幅方向に二重に重ねた状態の手先部を、胴回り部との境界で折り返して太鼓部を胴回り部の巻き方向の反対方向に通過するようにして、着用者の背部に装着する態様。
【００１４】
本発明の帯の装着方法のより具体的な態様としては、次の３〜５の態様を例示する。
［３］上記２の態様において、一対の巻き始め部面ファスナーと一対の巻き終り部面ファスナーとは、一方の一対が、凸側の面ファスナーであり、他方の一対が、該凸側の面ファスナーよりも胴回り部の長さ方向に長い凹側の面ファスナーであり、胴回り部は、一対の巻き始め部面ファスナーと一対の巻き終り部面ファスナーとの係合位置を胴回り部の巻き方向又はその反対方向にずらすことにより胴回りの寸法を調節可能に構成された態様。
【００１５】
［４］上記１〜３の態様において、二重太鼓は、着用者の背後に離間する帯山部分と、帯山部分の上端から連続して延び、帯山部分の上端から着用者側に曲げられ着用者の背部に当接してから下方に延びる曲げ部分と、帯山部分の下端から連続して延び、帯山部分の下端から着用者側に曲げられ着用者の背部に隣接してから上方に延びる返し部分とを含み構成され、曲げ部分の中太鼓部に前記枕用面ファスナーを備える態様。
【００１６】
［５］上記４の態様において、中太鼓部は外太鼓部よりも長く形成され、曲げ部分は帯山部分の下端よりも下方に長く延び、中太鼓部の外太鼓部からはみ出して一重になる部分で、曲げ部分の帯山部分の下端よりも下方に長く延びた部分が垂れ先を形成する態様。
【発明の効果】
【００１７】
本発明の［１］の態様によれば、次の［ｉ］の効果が得られる。
［ｉ］太鼓部の長さ方向両端部には、中太鼓部面ファスナーと外太鼓部面ファスナーとがあるため、二重太鼓の形成が簡単である。また、手先部は、上記の通り、胴回り部に連続するため、従来例２とは違い、帯が３つ又はそれ以上に分離されることもない。また、その手先部は太鼓部から独立しているため、従来例３とは違い、装着時における該太鼓部の形や大きさの自由度が少なくなることもない。
【００１８】
本発明の［２］の態様によれば、上記［ｉ］及び次の［ii］の効果が得られる。
［ii］胴回り部の巻き始め部面ファスナー及び巻き終り部面ファスナーは、一対ずつあるため、外れ難い。また、手先部が、装着時には胴回り部の最も外周側にくる該胴回り部の巻き終り端（前記他端部）に連続するため、最も内周側にくる該胴回り部の巻き始め端に連続する場合（従来例１）に比べて該手先部の装着が簡単である。
【図面の簡単な説明】
【００１９】
【図１】本発明の実施例１の帯を示す背後からの斜視図である。
【図２】同実施例１の帯の胴回り部及び手先部を装着する際の様子を（ａ）〜（ｄ）に順に示す背後からの斜視図である。
【図３】同実施例１の帯の太鼓部を装着する際の様子を（ａ）〜（ｃ）に順に示す背後からの斜視図である。
【図４】同実施例１の帯を着用者に装着する際の様子を（ａ）〜（ｄ）に順に示す背後からの斜視図である。
【図５】実施例２の帯の太鼓部を装着する際の様子を（ａ）〜（ｃ）に順に示す背後からの斜視図である。
【図６】変更例［ア］の帯の胴回り部及び手先部を装着する際の様子を（ａ）〜（ｄ）に順に示す背後からの斜視図である。
【図７】（ａ）は、従来例１の帯を示す背後からの斜視図、（ｂ）は、その帯を装着した際の様子を示す背面から斜視図である。
【図８】同従来例１の帯を着用者に装着する際の様子を（ａ）〜（ｄ）に順に示す背後からの斜視図である。
【図９】（ａ）は、従来例２の帯を示す背後からの斜視図、（ｂ）は、従来例３の帯を示す背後からの斜視図である。
【発明を実施するための形態】
【００２０】
本発明では、着用者Ｈの胴部に巻かれて装着される胴回り部１０と、該胴回り部１０から分離して設けられた太鼓部２０と、装着時には胴回り部１０の最も外周側にくる該胴回り部１０の巻き終り端に連続して設けられた手先部３０とを含む帯を設ける。そして、まず、胴回り部１０を、着用者Ｈの胴部に装着し、次に、太鼓部２０を、着用者Ｈの背部に装着する。そして、最後に、手先部３０を、胴回り部１０との境界で折り返して太鼓部２０を該胴回り部１０の巻き方向の反対方向に通過するように装着する。
【実施例１】
【００２１】
本実施例１（参考例）の図１〜図４に示す帯９は、着用者Ｈの胴部に巻かれて装着される胴回り部１０と、該胴回り部１０から分離して設けられた太鼓部２０と、装着時には胴回り部１０の最も外周側にくる該胴回り部１０の巻き終り端に連続して該胴回り部１０の延長状に設けられた手先部３０とを含み構成されている。なお、図１〜図３に示す二点差線は、帯９を構成する各部間の境界又は胴回り部１０若しくは太鼓部２０を構成する各部分間の境界を示しており、図２〜図４に示す実線及び破線の矢印は、帯９を装着する際に、次に該帯９を折り曲げる方向を示している。
【００２２】
胴回り部１０は、図２に示すように、手先部３０とともに幅方向に２つに折り曲げられて二重に重ねられた状態で、着用者Ｈの胴部に巻き方向（図では右巻き）に巻かれて装着される部位である。この胴回り部１０は、装着時には着用者Ｈの前方にくる前帯部分１１と、着用者Ｈの側方にくる両脇部分１２，１２と、着用者Ｈの背後にくる長さ方向両端部の巻き始め部分１３及び巻き終り部分１５とを含み、装着時には、内周側にくる巻き始め部分１３の外周面に外周側にくる巻き終り部分１５の内周面が当接する。該胴回り部１０は、その巻き始め部分１３の外周面の幅方向両端部に一対の凸側（フックを備えた側）の巻き始め部面ファスナー１４，１４を備え、巻き終り部分１５の内周面の幅方向両端部に該巻き始め部面ファスナー１４，１４と係合する一対の凹側（ループを備えた側）の巻き終り部面ファスナー１６，１６を備えている。詳しくは、凸側の巻き始め部面ファスナー１４，１４よりも凹側の巻き終り部面ファスナー１６，１６の方が胴回り部１０の長さ方向に長く、該巻き始め部面ファスナー１４，１４に対する巻き終り部面ファスナー１６，１６の係合位置を巻き方向又はその反対方向にずらすことによって、胴回りの寸法を調節できるようになっている。なお、該胴回り部１０の寸法は、特に限定されないが、例示的にいうと、幅が二重に折り曲げた状態で１５ｃｍである。長さは着用者Ｈの胴回りの寸法に合せて設定する。
【００２３】
太鼓部２０は、図３に示すように、幅方向に広げられたままの状態で一部が着用者Ｈの背部に枕４１を介して固定され、その状態から更に固定されていない部分が長さ方向に折り畳まれることによって一重太鼓を形成する部位である。この太鼓部２０は、装着時には着用者Ｈの背後に離間する帯山部分２１と、該帯山部分２１の上端から連続して延び、該帯山部分２１の上端から着用側に曲げられ着用者Ｈの背部に当接してから下方に延びる曲げ部分２２と、帯山部分２１の下端から連続して延び、該帯山部分２１の下端から着用者側に曲げられ該着用者Ｈの背部に隣接してから上方に延びる返し部分２４と、該返し部分２４の上端から連続して延び、該返し部分２４の上端から下方に折り返され曲げ部分２２に当接してから下方に延びる垂れ部分２５とを含み構成されている。その垂れ部分２５の下部における帯山部分２１の下端よりも下方に突出する部分が垂れ先２６を形成する。この太鼓部２０は、曲げ部分２２の帯山部分２１と向かい合う側の面における該帯山部分２１との境界又はその付近に、枕４１を係合させるための枕用面ファスナー２３を備えている。なお、該太鼓部２０の寸法は、特に限定されないが、例示的にいうと、その全体の長さが１００ｃｍであり、曲げ部分２２の長さが２０ｃｍであり、垂れ先２６の長さが７ｃｍである。
【００２４】
手先部３０は、図２に示すように、胴回り部１０とともに幅方向に２つに折り曲げられて二重に重ねられた状態で、着用者Ｈの背部に装着される部位である。この手先部３０は、胴回り部１０との境界で折り返して太鼓部２０を該胴回り部１０の巻き方向の反対方向に通過するように装着される。
【００２５】
以上に示した本実施例１の帯９を着用者Ｈに装着する際の手順を［１］胴回り部の装着、［２］太鼓部の装着、［３］手先部の装着  の順に次に説明する。
【００２６】
［１］胴回り部の装着
まず、図４（ａ）に示すように、胴回り部１０を着用者Ｈの胴部に巻き方向（図では右巻き）に巻いて装着する。このとき、まず、胴回り部１０は、幅方向を上下にして上半分に下半分が重なるように２つに折って二重に重ねる。その後、該胴回り部１０の前帯部分１１を着用者Ｈの腹部にあて、巻き始め部分１３及び巻き終り部分１５を着用者Ｈの両脇の下から、該着用者Ｈの背後に通す。そして、該背後にて、巻き始め部分１３が内周側になり巻き終り部分１５が外周側になるようにして重ねて、巻き始め部面ファスナー１４，１４に巻き終り部面ファスナー１６，１６を係合させる。このとき、巻き終り部分１５の先に余った手先部３０は、着用者Ｈの側方又は前方に預かっておく。
【００２７】
［２］太鼓部の装着
次に、図４（ｂ）に示すように、太鼓部２０を着用者Ｈの背部に装着する。このとき、まず、枕用面ファスナー２３に枕４１を係合させる。次に、枕４１の長さ方向両端に取り付けられている一対の紐４２を、着用者Ｈの両脇の下から前方に通して該前方で結ぶことによって、曲げ部分２２を着用者Ｈの背部に固定する。これにより、該曲げ部分２２が、胴回り部１０の巻き終り部分１５の上方及び上部の背後に隣接して配される。次に、枕４１及びその紐４２の上から帯上げ４３を巻く。その後、曲げ部分２２の上端から太鼓部２０を形よく折り畳んでいき、帯山部分２１、返し部分２４及び垂れ部分２５を順に綺麗に仕上げていく。
【００２８】
［３］手先部の装着
次に、図４（ｃ）に示すように、手先部３０を着用者Ｈの背部に装着する。このとき、まず、手先部３０を、胴回り部１０との境界で折り返して、該手先部３０を、太鼓部２０の帯山部分２１と該太鼓部２０の曲げ部分２２及び返し部分２４との間に通すことによって、該手先部３０が太鼓部２０を胴回り部１０の巻き方向の反対方向に通過するようにする。その後、図４（ｄ）に示すように、該手先部３０の上から帯締め４６を巻くことによって該手先部３０を太鼓部２０とともに着用者Ｈの背部に固定する。
【００２９】
本実施例１では、手先部３０が、装着時には胴回り部１０の最も外周側にくる該胴回り部１０の巻き終り端に連続するため、最も内周側にくる該胴回り部１０の巻き始め端に連続する場合（従来例１）に比べて該手先部３０の装着が簡単である。また、その手先部３０は、上記の通り、胴回り部１０に連続するため、従来例２とは違い、帯９が３つ又はそれ以上に分離されることもない。また、手先部３０は太鼓部２０から独立しているため、従来例３とは違い、装着時における該太鼓部２０の形や大きさの自由度が少なくなることもない。
【００３０】
また、胴回り部１０の長さ方向両端部１３，１５には、巻き始め部面ファスナー１４，１４と巻き終り部面ファスナー１６，１６とがあり、両面ファスナー１４，１６の係合位置をずらすことより胴回りの寸法を調節可能に構成されているため、該胴回り部１０の装着が簡単であり、また、装着後においても、緩い場合やきつい場合には、簡単に調節し直すことができる。また、それらに加え、比較的硬い凸側の巻き始め部面ファスナー１４，１４よりも比較的柔らかい凹側の巻き始め部面ファスナー１６，１６の方が長いため、胴回りの寸法を緩め又はきつめに調節した際にも、比較的硬い凸側の巻き始め部面ファスナー１４，１４が比較的柔らかい凹側の巻き終り部面ファスナー１６，１６からはみ出して剥き出しになるといったことにはなり難く、帯９や着物が傷み難い。また、それら巻き始め部面ファスナー１４，１４及び巻き終り部面ファスナー１６，１６は一対ずつあるため、外れ難い。
【実施例２】
【００３１】
本実施例２の図５に示す帯は、実施例１の帯９と略同様であるが、太鼓部５０のみが、実施例１の太鼓部２０と相違している。なお、図５に示す二点差線は、太鼓部２０を構成する各部分間の境界を示しており、実線の矢印は、太鼓部５０を装着する際に、次に該太鼓部５０を折り曲げる方向を示している。
【００３２】
その太鼓部５０は、図５に示すように、長さ方向の両側に、装着時には内周側にくる中太鼓部５１と外周側にくる外太鼓部５３とを並べて備え、それら中太鼓部５１と外太鼓部５３との境界で折り曲げられて二重に重ねられた状態で一部が着用者Ｈの背部に枕を介して固定され、その状態から更に固定されていない部分が長さ方向に折り畳まれることによって二重太鼓を形成する部位である。中太鼓部５１は、外太鼓部５３よりも若干長く形成されており、該中太鼓部５１の外太鼓部５３からはみ出して一重になる部分の一部又は全部が、垂れ先５８を形成する。この太鼓部５０は、中太鼓部５１の外太鼓部５３と向かい合う側の面における該外太鼓部５３との境界とは反対側の長さ方向端部に中太鼓部面ファスナー５２を備え、外太鼓部５３の中太鼓部５１と向かい合う側の面における該中太鼓部５１との境界とは反対側の長さ方向端部に該中太鼓部面ファスナー５２と係合する外太鼓部面ファスナー５４を備えている。
【００３３】
この太鼓部５０は、装着時には着用者Ｈの背後に離間する帯山部分５５と、該帯山部分５５の上端から連続して延び、該帯山部分５５の上端から着用者側に曲げられて該着用者Ｈの背部に当接してから下方に延びる曲げ部分５６と、帯山部分５５の下端から連続して延び、該帯山部分５５の下端から着用者側に曲げられて曲げ部分５６に当接してから上方に延びる返し部分５９とを含み構成されている。曲げ部分５６は、帯山部分５５の下端よりも下方に長く延び、その下端よりも下方に長く延びた部分が前述の垂れ先５８を形成する。この太鼓部５０は、曲げ部分５６の帯山部分５５と向かい合う側の面における該帯山部分５５との境界又はその付近に、枕４１を係合させるための枕用面ファスナー５７を備えている。
【００３４】
なお、該太鼓部５０の寸法は、特に限定されないが、例示的にいうと、その全体の長さが１５０ｃｍ、幅が３０ｃｍであり、中太鼓部の長さが８０ｃｍ、外太鼓部の長さが７０ｃｍであり、二重に重ねられた状態での曲げ部分５６の長さが３３ｃｍであり、垂れ先５８の長さが７ｃｍである。
【００３５】
以上に示した本実施例２の帯を着用者Ｈに装着する際の手順を［１］胴回り部の装着、［２］太鼓部の装着、［３］手先部の装着  の順に次に説明する。
【００３６】
［１］胴回り部の装着
実施例１と同様に、胴回り部１０を着用者の胴部に装着する。
【００３７】
［２］太鼓部の装着
まず、枕用面ファスナー５７に枕を係合させる。次に、枕の長さ方向両端に取り付けられている一対の紐を、着用者の両脇の下から前方に通して該前方で結ぶことによって、曲げ部分５６を着用者の背部に固定する。これにより、該曲げ部分５６が、胴回り部１０の巻き終り部分１５の背後に隣接して配される。次に、枕及びその紐の上から帯上げを巻く。その後、曲げ部分５６の上端から太鼓部５０を形よく折り畳んでいき、帯山部分５５及び返し部分５９を順に綺麗に仕上げていく。
【００３８】
［３］手先部の装着
まず、手先部３０を、胴回り部１０との境界で折り返して、該手先部３０を、太鼓部５０の帯山部分５５と該太鼓部５０の曲げ部分５６及び返し部分５９との間に通すことによって、該手先部３０が太鼓部５０を胴回り部１０の巻き方向の反対方向に通過するようにする。その後、該手先部３０の上から帯締めを巻くことによって該手先部３０を太鼓部５０とともに着用者の背部に固定する。
【００３９】
本実施例２によれば、二重太鼓においても実施例１と同様の効果を得ることができる。また、太鼓部５０の長さ方向両端部には、中太鼓部面ファスナー５２と外太鼓部面ファスナー５４とがあるため、二重太鼓の形成が簡単である。
【００４０】
なお、本発明は上記実施例２に限定されるものではなく、発明の趣旨から逸脱しない範囲で適宜変更して具体化することもでき、例えば、次の［ア］［イ］のように変更してもよい。
［ア］図１〜図４においては、胴回り部１０は右巻きであったが、図２とは左右反対に構成して、図６に示すように左巻きにしてもよい。なお、図６に示す二点差線は、帯９を構成する各部間の境界又は胴回り部１０を構成する各部分間の境界を示しており、実線の矢印は、帯９を装着する際に、次に該帯９を折り曲げる方向を示している。
［イ］実施例２においては、巻き始め部面ファスナー１４，１４と巻き終り部面ファスナー１６，１６とがそれぞれ胴回り部１０の幅方向両端部に一対ずつあったが、幅方向中央部に一つずつのみにしてもよい。
【符号の説明】
【００４１】
９    帯
１０    胴回り部
１３    巻き始め部分（長さ方向の一端部）
１４    巻き始め部面ファスナー
１５    巻き終り部分（長さ方向の他端部）
１６    巻き終り部面ファスナー
３０    手先部
４１    枕
４２    紐
５０    太鼓部
５１    中太鼓部
５２    中太鼓部面ファスナー
５３    外太鼓部
５４    外太鼓部面ファスナー
５５    帯山部分
５６    曲げ部分
５７    枕用面ファスナー
５８    垂れ先
５９    返し部分
Ｈ    着用者
【図１】
2014111856.tif 000003
【図２】
2014111856.tif 000004
【図３】
2014111856.tif 000005
【図４】
2014111856.tif 000006
【図５】
2014111856.tif 000007
【図６】
2014111856.tif 000008
【図７】
2014111856.tif 000009
【図８】
2014111856.tif 000010
【図９】
2014111856.tif 000011